(57)【特許請求の範囲】
【請求項１】
防犯が必要な箇所を撮影して撮影データを記憶して残すことにより防犯を行う防犯装置であって、
前面扉を有する筐体と、筐体内に設けられた商品収容部と、前面扉に設けられた商品選択ボタン及び金銭投入部と、商品選択ボタンで選択された商品を金銭投入部で投入された金銭の額に従って払い出す商品払い出し機構とを備えた自動販売機と、
筐体の上面に取り付けられた防犯カメラと、
防犯カメラが撮影した映像を記憶する撮影データ記憶部と、
前面扉の前面に設けられて視認可能とされているモニタディスプレイと、
モニタディスプレイに表示させる映像を制御する再生制御ユニットと
を備えており、
防犯カメラは、カメラ本体と、カメラ本体の向き及び撮影倍率を制御するカメラ制御部と、カメラ制御部からの制御信号に従ってカメラ本体の向き及び撮影倍率を変更するカメラ駆動部とを備えており、カメラ制御部は、自動販売機の周囲の複数の箇所の撮影をするために各撮影箇所についての防犯カメラの向き及び撮影倍率の制御情報を記憶したカメラ制御用記憶部を有しており、
再生制御ユニットは、防犯カメラが撮影した映像をリアルタイムでモニタディスプレイに表示させるものであって、前記複数の箇所のうちの特定の箇所を選ぶ選択を行って当該選ばれた箇所のみの映像をリアルタイムでモニタディスプレイに表示させることが可能な制御ユニットであり、且つ一日のうちの昼間と夜間で異なった選択をすることが可能な制御ユニットであることを特徴とする防犯装置。
【請求項２】
前記再生制御ユニットは、前記モニタディプレイに表示する広告用のイメージファイルを記憶した再生データ記憶部を備えており、前記複数の箇所のうち選ばれなかった箇所を撮影している時間帯には、再生データ記憶部から読み出された広告用のイメージファイルを前記モニタディスプレイに表示する制御を行うことが可能な制御ユニットであることを特徴とする請求項１記載の防犯装置。
【請求項３】
前記再生制御ユニットの再生データ記憶部には、前記自動販売機の状態に応じて再生される連動表示用ファイルが記憶されており、
前記再生制御ユニットは、前記自動販売機の状態に応じて連動表示用ファイルを優先してモニタディスプレイに表示する制御を行うことが可能な制御ユニットであることを特徴とする請求項２記載の防犯装置。
【請求項４】
前記防犯カメラは、前記筐体の上面に設けられたフレームによって保持された状態で取り付けられており、
フレームを前記筐体の上面に押し付けることで動かないようにする固定具を備えていることを特徴とする請求項１、２又は３記載の防犯装置。
【発明の詳細な説明】
【技術分野】
【０００１】
本願の発明は、防犯装置に関するものである。
【背景技術】
【０００２】
近年、凶悪な犯罪が多発していることから、防犯の意識が非常に高くなってきている。防犯、そして犯罪捜査や犯人特定のための証拠保存等の観点から、防犯カメラ設置の意義、重要性が増している。ビルやマンションを始めとして商店街のような人通りの多い場所には防犯カメラが設置され、防犯や犯罪捜査に効果をあげている。
【先行技術文献】
【特許文献】
【０００３】
【特許文献１】特開２０１１−２２１６２４号公報
【発明の概要】
【発明が解決しようとする課題】
【０００４】
このような防犯カメラは、設置される箇所が多くなればなるほど、犯罪の現場を撮影する確率が高まったり、犯罪の発生を防止できる箇所が多くなったりするので、より好ましい。例えば一般の住宅街でも防犯カメラが多く設置されるようになると、さらに防犯や犯罪捜査等において大きな効果があると考えられる。しかしながら、幾つかの問題から、防犯カメラの設置台数はそれほど増加してはいない。
【０００５】
防犯カメラの設置台数が多くできない一つは、コストの問題である。防犯カメラは、技術の進歩により性能の良いものがかなり安く手に入るようになってきているが、それでもある程度の費用がかかる。その費用をだれが負担するかという問題である。ビルやマンション、商店街のような場所では、ビルの管理会社、マンションの管理組合、商店街組合といった団体が負担することになるが、一般の住宅街では誰が負担するのかという問題が生じる。自治会や町内会といった団体が負担する場合、予算規模に比して高額な負担となり過ぎる。また、当該市区町村が負担することもあり得るが、市区町村内の各場所で公平に設置していくと、多額の予算が必要となってしまう。
【０００６】
防犯カメラの設置台数が多くできないもう一つの問題は、適当な設置箇所を見つけるのが難しい点である。防犯カメラは、犯罪が生じ得る場所を撮影、監視するものであるが、通り過ぎる人や車等によって遮られることがないよう、ある程度高い箇所に設置する必要がある。あまり高くても離れ過ぎてしまうため、人の背丈より少し高い２〜２．５ｍ程度の高さが適している。
【０００７】
しかしながら、ビルやマンション等は別として、一般の住宅街では、この程度の高さに設置してあたりを撮影できるような適当な箇所を見つけることはそれほど容易ではない。一般の住宅街の場合、住宅の壁面に固定することが考えられるが、通りから奥まっているために通りを十分に撮影できなかったり、また家主が壁面に取り付けのために穴を開けるのを嫌がったりする場合もある。このような場合には、防犯カメラ取り付け用のポールを設置することが行われるが、ポール設置の費用がかさみ（多くの場合、防犯カメラの費用より高い）、コストの問題をより深刻にする。
【０００８】
また、ビルやマンション、さらに商店街等でも、防犯効果を高めるために防犯カメラの設置箇所を増やしていきたいという要請があり、検討されることが多い。しかしながら、コスト上の問題、また新たにビルや商店の壁面に穴を開けて工事をすることがためらわれる場合が多く、思うようには設置箇所を増やすことができない場合が多い。
本願の発明は、このような状況を鑑みて為されたものであり、設置箇所や設置コストの問題を上手く解決して防犯カメラの設置箇所をより多くできるようにすることを目的としている。
【課題を解決するための手段】
【０００９】
上記課題を解決するため、本願の請求項１記載の発明は、防犯が必要な箇所を撮影して撮影データを記憶して残すことにより防犯を行う防犯装置であって、
前面扉を有する筐体と、筐体内に設けられた商品収容部と、前面扉に設けられた商品選択ボタン及び金銭投入部と、商品選択ボタンで選択された商品を金銭投入部で投入された金銭の額に従って払い出す商品払い出し機構とを備えた自動販売機と、
筐体の上面に取り付けられた防犯カメラと、
防犯カメラが撮影した映像を記憶する撮影データ記憶部と、
前面扉の前面に設けられて視認可能とされているモニタディスプレイと、
モニタディスプレイに表示させる映像を制御する再生制御ユニットと
を備えており、
防犯カメラは、カメラ本体と、カメラ本体の向き及び撮影倍率を制御するカメラ制御部と、カメラ制御部からの制御信号に従ってカメラ本体の向き及び撮影倍率を変更するカメラ駆動部とを備えており、カメラ制御部は、自動販売機の周囲の複数の箇所の撮影をするために各撮影箇所についての防犯カメラの向き及び撮影倍率の制御情報を記憶したカメラ制御用記憶部を有しており、
再生制御ユニットは、防犯カメラが撮影した映像をリアルタイムでモニタディスプレイに表示させるものであって、前記複数の箇所のうちの特定の箇所を選ぶ選択を行って当該選ばれた箇所のみの映像をリアルタイムでモニタディスプレイに表示させることが可能な制御ユニットであり、且つ一日のうちの昼間と夜間で異なった選択をすることが可能な制御ユニットであるという構成を有する。
また、上記課題を解決するため、請求項２記載の発明は、前記請求項１の構成において、前記再生制御ユニットは、前記モニタディプレイに表示する広告用のイメージファイルを記憶した再生データ記憶部を備えており、前記複数の箇所のうち選ばれなかった箇所を撮影している時間帯には、再生データ記憶部から読み出された広告用のイメージファイルを前記モニタディスプレイに表示する制御を行うことが可能な制御ユニットであるという構成を有する。
また、上記課題を解決するため、請求項３記載の発明は、前記請求項２の構成において、前記再生制御ユニットの再生データ記憶部には、前記自動販売機の状態に応じて再生される連動表示用ファイルが記憶されており、
前記再生制御ユニットは、前記自動販売機の状態に応じて連動表示用ファイルを優先してモニタディスプレイに表示する制御を行うことが可能な制御ユニットであるという構成を有する。
また、上記課題を解決するため、請求項４記載の発明は、前記請求項１、２又は３の構成において、前記防犯カメラは、前記筐体の上面に設けられたフレームによって保持された状態で取り付けられており、フレームを前記筐体の上面に押し付けることで動かないようにする固定具を備えているという構成を有する。
【発明の効果】
【００１０】
以下に説明する通り、本願の請求項１記載の発明によれば、自動販売機を利用して防犯カメラが設置されているので、防犯カメラの設置箇所を多くしていくのに極めて好適な装置が提供される。
また、防犯カメラで撮影していることがモニタディスプレイでのリアルタイム映像再生で視認されるので、防犯の効果がより高くなる。この際、モニタディスプレイも自動販売機の前面扉を利用して設置されるので、設置場所に困ることがなく、また人目につき易いので、この点でも好適となる。
さらに、複数の撮影箇所のうちリアルタイム映像再生をしない箇所を選択することができるので、この点でさらに防犯効果が高くなる。そして、リアルタイム映像再生をしたりしなかったりする選択が昼間と夜間とで変更することができるので、それぞれに応じた再生を行うことでさらに防犯効果を高めることができる。
また、請求項２記載の発明によれば、上記効果に加え、リアルタイム映像再生をしない箇所を撮影している時間帯にモニタディスプレイに広告が表示できるので、防犯効果と広告効果との二つが期待でき、一石二鳥的な効果が見込める。
また、請求項３記載の発明によれば、自動販売機の動作に連動してイメージがモニタディスプレイに優先表示され得るので、自動販売機の商品の紹介や購入に対する御礼等の適宜のイメージの表示も行うのに好適なものとなる。
また、請求項４記載の発明によれば、防犯カメラが保持されたフレームが筐体の上面に押し付けられることで動かないようになっているので、筐体に対して穴開け等の加工をする必要がなくなる。このため、雨水の浸入のような心配はなく、また防犯カメラを撤去して自動販売機を通常の状態に戻すのも容易に行える。
【図面の簡単な説明】
【００１１】
【図１】本願発明の実施形態に係る防犯装置の斜視概略図である。
【図２】図１に示す自動販売機１において前面扉１２を開けた状態の斜視概略図である。
【図３】防犯カメラ２の取付構造を示した図であり、筐体１１の上方領域の斜視概略図である。
【図４】防犯カメラ２の取付構造を示した図であり、図４は筐体１１の側面概略図である。
【図５】実施形態の防犯装置の制御系を概略的に示したブロック図である。
【図６】再生制御ユニット７の再生条件設定部７３における設定について示した概略図である。
【発明を実施するための形態】
【００１２】
次に、本願発明を実施するための形態（以下、実施形態）について説明する。
図１は、本願発明の実施形態に係る防犯装置の斜視概略図である。実施形態の防犯装置は、自動販売機を利用した防犯装置となっている。具体的には、図１に示すように、防犯装置は、自動販売機１と、防犯カメラ２とを備えている。
自動販売機は、この実施形態では清涼飲料の自動販売機となっている。図１に示すように、自動販売機１は、前面扉１２を有する筐体１１を備えている。図２は、図１に示す自動販売機１において前面扉１２を開けた状態の斜視概略図である。
【００１３】
図２に示すように、筐体１１内には、販売する缶入り又はＰＥＴボトル入りの清涼飲料を収容した商品収容部１１１が設けられている。図１に示すように、前面扉１２には、商品の見本を展示した展示部１２１、購入する商品を選択する各商品選択ボタン１２２、購入のための硬貨や紙幣を投入する金銭投入部１２３、購入した商品を取り出す取り出し口１２４、釣り銭を払い出す釣り銭払い出し口１２５などが設けられている。金銭投入部１２３は、コインメックやビルバリを含んでおり、投入された硬貨や紙幣が真正なものであるかどうか判断し、真正なものであればその種別、合計額を算出するものである。
【００１４】
また、筐体１１内には、施設内自販機１の動作を制御する制御ユニット（以下、自販機制御ユニットという）３が設けられている。図２に示すように、自販機制御ユニット３は、前面扉１２の裏面に固定されている。自販機制御ユニット３は、ユニットボックス内にプロセッサや記憶部（メモリ）等の各部を収容した構造となっており、金銭投入部１２３で投入された金銭が規定の金額に達しているかどうかの判断等を行うものである。
【００１５】
一方、商品収容部１１１は、自販機制御ユニット３からの信号に従って商品を一つずつ払い出す払い出し機構１４を備えており、自販機制御ユニット３は、投入された金銭が所定の金額に達していると判断した場合、払い出し機構１４に信号を送り、選択された商品を取り出し口１２４に払い出すようになっている。これらの構成や機構の構造は、通常の自動販売機と同様のものとすることができる。
【００１６】
図１及び図２に示すように、防犯カメラ２は、筐体１１の上面に取り付けられている。図３及び図４は、防犯カメラ２の取付構造を示した図であり、図３は筐体１１の上方領域の斜視概略図、図４は筐体１１の側面概略図である。
図３に示すように、防犯カメラ２は、筐体１１の上面にフレーム４により取り付けられている。フレーム４は、筐体１１の上面から上方に延びる四本の垂直部４１と、各垂直部４１を橋渡しする状態で固定された梁部４２とから成っている。そして、左右に延びる一対の梁部４２を橋渡しした状態でカメラ保持部４３が設けられている。カメラ保持部４３は、この例では長尺なものであるが、板状のもの（天板）が採用されることもある。
尚、梁部４２は方形の枠状を成しているが、前側の２本の垂直部４１は、方形の角ではなく、少し奥まったところに位置している。これは、防犯カメラ２による撮影視野を遮蔽しないようにするためである。
【００１７】
防犯カメラ２は、カメラ本体２１と、カメラベース２２とから成っている。カメラ本体２１は、カメラベース２２内に設けられたカメラ駆動部（後述）によってパン／チルトの動作を行うようになっている。防犯カメラ２は、カメラベース２２の裏面（この場合には上側の面）がカメラ保持部４３に固定されており、カメラベース２２を上側にした姿勢で取り付けられている。
尚、フレーム４の各部は、スチール製の頑丈なものとされ、不図示のボルトにより互いに固定されている。
【００１８】
フレーム４と筐体１１との固定は、同様にボルト止めでも良いが、筐体１１に穴開けすることは好ましくない場合があるため（雨水が内部に浸入し易くなる等）、この実施形態では、ワイヤー５１とアンカーボルト５２により基礎５３に対して固定している。即ち、図４に示すように、各垂直部４１の下端は、筐体１１の前後方向に延びる下側梁部４４で橋渡しされている。各下側梁部４４は、断面Ｌ字状の部材であり、筐体１１の左右の角部に被さっている。
【００１９】
そして、各下側梁部４４には、図４に示すように２本のワイヤー５１が連結されており、ワイヤー５１の下端はアンカーボルト５２に連結されている。自動販売機１は、コンクリート又はタイル貼り等の基礎５３の上に設置されており、アンカーボルト５２はこの基礎５３に埋設されている。ワイヤー５１とアンカーボルト５２は、筐体１１の両側面に設けられており、これによってフレーム４及び防犯カメラ２は基礎５３に対して固定された構造となっている。尚、ワイヤー５１及びアンカーボルト５２は、図１及び図２では図示が省略されている。
【００２０】
一方、自動販売機１には、防犯カメラ２が撮影した映像をリアルタイムで表示するモニタディスプレイ６が設けられている。図１に示すように、モニタディスプレイ６は、前面扉１２に設けられている。前面扉１２の展示部１２１の下側には開口が設けられている。通常、この開口には広告板が嵌め込まれているが、この開口を利用してモニタディスプレイ６が取り付けられている。
【００２１】
図５は、実施形態の防犯装置の制御系を概略的に示したブロック図である。図５に示すように、防犯カメラ２は、撮影データ記憶部２３と、カメラ制御部２４と、カメラ制御用記憶部２５と、データ転送部２６とを備えている。撮影データ記憶部２３は、撮影された動画データを記憶するものである。この実施形態では、防犯カメラ２は、メモリカードスロット（不図示）を備えており、撮影データ記憶部２３は、このメモリカードスロットに装着されたＳＤメモリカードのようなメモリとなっている。
【００２２】
また、防犯カメラ２は、カメラ本体２１の向き及び撮影倍率を変更するカメラ駆動部２７を備えている。カメラ駆動部２７は、カメラ本体２１のパン／チルトの姿勢変更を行うための駆動機構、撮影倍率の変更（ズーム）のためのレンズ駆動機構を含んでいる。カメラ制御部２４は、カメラ駆動機構に制御信号を送り、カメラ本体２１の姿勢を変更させたり、ピントや露出を変更させたりする制御部である。尚、カメラ本体２１において、レンズのフォーカス及び露出はオート制御となっている。
カメラ制御用記憶部２５は、上記のようなカメラ本体２１の制御をシーケンス（撮影シーケンス）として記憶した記憶部である。防犯カメラ２は、外部との通信を行うインターフェース部２８を備えている。インターフェース部２８は、インターネット経由での通信のためのプロトコル（ＴＣＰ／ＩＰ）を含む。
【００２３】
例えば、この種の防犯カメラ２を製造、販売するメーカーは、防犯カメラ２を操作したり、撮影シーケンスを登録したりするアプリケーションプログラムをインターネット上で提供している。ユーザーは、自身のコンピュータにアプリケーションプログラムをダウンロードし、近距離無線通信又はインターネット経由で防犯カメラ２を操作し、カメラ本体２１の向きやズームを調整できるようになっている。そして、各撮影箇所におけるカメラ本体２１の姿勢や撮影倍率を記憶させることができるとともに、各撮影箇所の撮影時間や撮影順序のシーケンスも記憶させることができるようになっている。実施形態の防犯カメラ２も同様であり、図５に示すように、近距離無線通信又はインターネット等のネットワーク８０経由で外部のコンピュータ８１により予めカメラ本体２１を制御しながら、各撮影場所を撮影するためのカメラ本体２１の向き、撮影倍率、撮影時間、そして撮影順序などのシーケンスをカメラ制御用記憶部２５に記憶させる。尚、カメラ制御用記憶部２５は、撮影データ記憶部２３としてのメモリとは別に設けられたメモリである。
【００２４】
データ転送部２６は、撮影データをリアルタイムで再生したり、防犯カメラ２とは別の場所に設けられた記憶部に記憶したりするために撮影データを転送する部分である。データ転送部２６は、ＭＰＥＧ４−マルチキャストストリーミングのようなリアルタイム動画転送プロトコルに準拠している。
このような防犯カメラ２としては、ネットワーク対応の防犯カメラとして各社から販売されているものの中から適宜選択して使用することができる。例えば、パナソニックシステムネットワークス株式会社製のプリセットコンビネーションネットワークカメラＷＶ−ＳＣ３８５を使用することができる。
【００２５】
モニタディスプレイ６としては、７インチから１５インチ程度の液晶ディスプレイが使用されている。モニタディスプレイ６は、データ転送部２６のプロトコルに対応したインターフェースを有し、データ転送部２６から送られる撮影データを再生（表示）するものとなっている。この際、図５に示すように、データ転送部２６とモニタディスプレイ６の間には、再生制御ユニット７が設けられており、再生制御ユニット７を介して撮影データが送られるようになっている。
【００２６】
再生制御ユニット７は、モニタディスプレイ６への撮影データの転送をオンオフしたり、別の画像データに切り替えて再生したりする制御を行うユニットである。図５に示すように、再生制御ユニット７は、スイッチ回路７１と、判断部７２と、再生条件設定部７３と、再生データ記憶部７４等から構成されている。
この実施形態では、再生制御ユニット７は、メディアプレーヤー７５を内蔵している。再生データ記憶部７４は、メディアプレーヤー７５によって読み出しがされる動画データを記憶したメモリである。メディアプレーヤー７５は、再生用のプログラムがインストールされたハードウェアであり、再生データ記憶部７４に記憶された動画データをＭＰＥＧ等のフォーマットに適宜エンコードしてモニタディスプレイ６に送る機器である。
【００２７】
スイッチ回路７１は、モニタディスプレイ６への接続を切り替える回路であり、防犯カメラ２のデータ転送部２６を接続して撮影データをリアルタイムで再生する状態（以下、リアルタイム再生接続）、メディアプレーヤー７５をモニタディスプレイ６に接続してメディアプレーヤー７５によって再生する状態（以下、メディアプレーヤー接続）、モニタディスプレイ６への接続を遮断してモニタディスプレイ６に何も映らない状態（以下、接続オフ）との三つを取り得るよう構成されている。
【００２８】
再生条件設定部７３は、スイッチ回路７１の動作条件を設定する部分である。図６は、再生制御ユニット７の再生条件設定部７３における設定について示した概略図である。
図６（１）は、防犯カメラ２のカメラ制御用記憶部２５に記憶されたカメラ制御シーケンスにおける各撮影箇所の撮影シーケンスが示されている。この例では、撮影箇所は五つ設定されており、各設定箇所について同じ時間長で撮影を行い、これを繰り返すシーケンスとなっている。五つの撮影箇所を、撮影順に、撮影箇所Ａ、撮影箇所Ｂ、撮影箇所Ｃ、撮影箇所Ｄ、撮影箇所Ｅとする。
【００２９】
再生制御ユニット７の再生条件設定部７３では、図６（２）（３）に示すような再生シーケンスが設定される。このうち、図６（２）は、昼間の再生シーケンスであり、図６（３）は夜間の再生シーケンスである。昼間、夜間の区別は、例えば８時〜２０時が昼間、２０時〜翌８時までが夜間とされる。
図６（２）に示すように、昼間では、撮影箇所Ａ〜Ｄのうち、撮影箇所Ａ及び撮影箇所Ｃについてはリアルタイムで撮影データが再生される。そして、撮影箇所Ｂ、撮影箇所Ｄ及び撮影箇所Ｅの撮影の時間帯では、広告Ｘ、広告Ｙ及び広告Ｚが再生されるようになっている。
また、図６（３）に示すように、夜間では、撮影箇所Ｂを除く全ての撮影箇所の撮影データがリアルタイム再生されるようになっており、撮影箇所Ｃの撮影時間帯は何も表示されないようになっている。
【００３０】
このような再生シーケンスで動作するよう再生条件設定部７３での設定が行われ、これに従ってスイッチ回路７１が接続を切り替える。即ち、再生制御ユニット７は、不図示の内蔵時計及びタイマー回路を備えており、判断部７２は、内蔵時計及びタイマー回路に従ってスイッチ回路７１における切り替えを行う。防犯カメラ２のカメラ制御シーケンスは、例えばちょうど毎朝８時の時点で撮影箇所Ａから撮影を始めるようプログラミングされ、判断部７２も朝８時で同期を取って制御を開始する。スイッチ回路７１は、撮影箇所Ａの撮影時間の間は、リアルタイム再生接続とされ、撮影時間が終了するタイミングでメディアプレーヤー接続とされる。そして、撮影箇所Ｂの撮影が終了するタイミングでリアルタイム再生接続に戻され、さらに撮影箇所Ｂの撮影が終了するタイミングでメディアプレーヤー接続にされる。さらに撮影箇所Ｃが終了するタイミングでリアルタイム接続に戻され、そのまま撮影箇所Ｄ及び撮影箇所Ｅの撮影が終了するまで維持される。このシーケンスが、２０時まで繰り返される。
【００３１】
２０時になった時点で、再生シーケンスは変更され、１回のサイクルにおいて撮影箇所Ｃの撮影の時間帯でのみスイッチ回路７１は接続オフとし、他の時間帯はすべてリアルタイム接続とする。このシーケンスでスイッチ回路７１の動作が翌８時まで繰り返され、翌８時の時点で上記昼間の再生シーケンスに変更される。
【００３２】
一方、メディアプレーヤー７５内の再生データ記憶部７４は、上記広告Ｘ、広告Ｙ、広告Ｚの各動画又は静止画の広告を表示するイメージファイル（以下、広告用イメージファイル）７４１が記憶されている。広告用イメージファイル７４１は、各広告を連続した一つの動画として表示するものであり、全体の時間長は上記Ａ〜Ｅの各箇所の撮影の全体の時間長（１サイクルの撮影時間）に一致している。そして、広告用イメージファイル７４１における広告Ｘ、広告Ｙ、広告Ｚの出現のタイミングは、図６（１）に示す撮影箇所Ｂ，Ｄ，Ｅの撮影のタイミング（即ち、再生のタイミング）に一致している。尚、メディアプレーヤー７５において、このような広告用イメージファイル７４１を繰り返し再生するよう設定がされている。
【００３３】
このような制御シーケンスとは別に、再生制御ユニット７は、自動販売機１の動作に応じて割り込み（優先）再生する機能を有している。具体的に説明すると、図５に示すように、自販機制御ユニット３は、自動販売機１の状態信号を出力する状態信号出力ポート３１と、商品払い出し個数のトータルの個数を出力する払い出し個数出力ポート３２とを備えている。状態信号出力ポート３１は、自動販売機１の電源がＯＮとなっており、金銭の投入待ちの状態であるスタンバイ状態、投入された金額の合計が商品の価格以上であって商品の払い出しが可能になった状態であるアクティブ状態等を示す信号を出力するポートである。払い出し個数出力ポート３２は、商品のトータルの販売個数を管理するためのポートであり、商品が払い出されるたびに１が加算される出力ポートである。
【００３４】
そして、再生制御ユニット７の再生データ記憶部７４には、広告用イメージファイル７４１とは別に、自動販売機１内の動作に応じて表示する二つの動画データのファイル（以下、連動表示用ファイル）７４２、７４３が記憶されている。一つの連動表示用ファイル７４２は、自動販売機１がアクティブ状態になった際に表示される動画のイメージファイル（以下、アクティブ状態用ファイル）であり、例えば自動販売機１内の商品のうちお勧めの商品を紹介する動画のイメージファイルとされる。また、もう一つの連動表示用ファイル７４３は、商品の払い出しがされた際に表示される動画のイメージファイル（以下、完了時用ファイル）である。完了時用ファイル７４３は、例えば「有り難うございました。」という音声とともにお辞儀をするキャラクターの絵が表示される動画のイメージファイルとされる。
【００３５】
再生制御ユニット７の判断部７２は、状態信号出力ポート３１の値がオン（アクティブ状態）になった際、スイッチ回路７１を強制的に切り替え、メディアプレーヤー７５をモニタディスプレイ６に接続するようスイッチ回路７１を制御するとともに、アクティブ状態用ファイル７４２を割り込み再生するようメディアプレーヤー７５に制御信号を送る。メディアプレーヤー７５は、広告用イメージファイル７４１の再生は継続するものの、アクティブ状態用ファイル７４２を優先して出力してモニタディスプレイ６に表示する。アクティブ状態用ファイルは、「いらっしゃいませ」といった音声に加えてお勧めの商品の紹介等をする数秒程度の短いファイルであり、アクティブ状態用ファイルの再生が終了すると、元の広告用イメージファイル７４１の再生に戻る。
【００３６】
また、商品の払いがされて払い出し個数出力ポート３２のカウントが１増えると、判断部７２は、メディアプレーヤー７５をモニタディスプレイ６に接続するようにスイッチ回路７１を強制的に切り替えるとともに、完了時用ファイル７４３を割り込み再生するようメディアプレーヤー７５に制御信号を送る。メディアプレーヤー７５は、同様に広告用イメージファイル７４１の再生は継続するものの、完了時用ファイル７４３を優先して出力してモニタディスプレイ６に表示させる。完了時用ファイル７４３も数秒程度の短いファイルであり、完了時用ファイル７４３の再生が終了すると、元の広告用イメージファイル７４１の再生に戻る。
【００３７】
上記説明から解るように、昼間では、スイッチ回路７１の動作によって、撮影箇所Ｂの撮影の時間帯では広告Ｘがモニタディスプレイ６に表示され、撮影箇所Ｄの撮影の時間帯では広告Ｙが表示され、撮影箇所Ｅの撮影の時間帯では広告Ｚがモニタディスプレイ６に表示される。一方、夜間では、スイッチ回路７１の動作によって、撮影箇所Ｃ以外は防犯カメラ２の映像がリアルタイム表示される。そして、撮影箇所Ｃを撮影している時間帯は、モニタディスプレイ６には何も映らない状態となる。また、このようなシーケンスにおいて、自動販売機１において金銭が投入されてアクティブ状態になると、アクティブ状態用ファイル７４２が優先再生され、商品の払い出しがされると、完了時用ファイル７４３が優先再生される。このような制御を行う再生制御ユニット７において、スイッチ回路７１や判断部７２、再生条件設定部７３は、ロジックやメモリ等の組み合わせで容易に実現できるので、詳細な説明は割愛する。
【００３８】
尚、再生条件設定部７３での設定は、外部からの入力により適宜行われ、また変更され得る。例えば、再生制御ユニット７がBluetoothのような近距離無線通信インターフェースを備えるようにし、再生条件設定部７３での設定用のプログラムを作成してスマートフォンやタブレットＰＣ等のモバイルコンピュータ上にインストールしておく。モバイルコンピュータ上のプログラムは、再生制御ユニット７の条件設定部７３を周辺装置として認識し、再生条件の上書きが行えるようプログラミングされる。
【００３９】
上述したような防犯装置は、新たに自動販売機１を設置してフレーム４を取り付け、フレーム４に対して防犯カメラ２を搭載することで構成する場合もあるが、既に設置されている自動販売機１に対してフレーム４を取り付けて防犯カメラ２を搭載する場合もある。防犯カメラ２を搭載した後、前面扉１２にモニタディスプレイ６を取り付け、各種設定（カメラ制御シーケンスの設定、再生シーケンスの設定）を行うことで、防犯装置が構成される。
【００４０】
防犯装置において、自動販売機１は自動販売機として通常の動作（営業）を続ける一方、搭載された防犯カメラ２は、撮影シーケンスに従って各撮影場所を撮影し、撮影データを撮影データ記憶部２３に記憶する。また、撮影データは、データ転送部２６から再生制御ユニット７経由でモニタディスプレイ６に送られ、再生制御ユニット７での再生シーケンスに従って間欠的に撮影データがリアルタイム再生される。これにより、防犯装置の周辺での防犯効果が発揮される。
【００４１】
上述した構成に係る実施形態の防犯装置では、自動販売機１を利用して防犯カメラ２が設置され、防犯カメラ２のリアルタイム映像の表示場所も自動販売機１の前面扉１２が利用されている。このため、防犯カメラ２の設置箇所を多くしていくのに極めて好適な装置となっている。即ち、防犯装置のために新たに自動販売機１を用意する必要はなく、既に設置されている自動販売機においてその上方の空間が空いていれば、その自動販売機に対してフレーム４を取り付けて防犯カメラ２を搭載すればよく、防犯カメラ２の設置用にポールを立てたり、天井や壁面に穴を開けたりする必要はない。また、電源系統についても、自動販売機の電源系統を利用することができ、防犯カメラ２のために大がかりな配線工事は不要である。このため、安価で簡便に防犯カメラ２を設置することができる。
【００４２】
また、この実施形態では、フレーム４は筐体１１の上面には載っているものの、ワイヤー５１及びアンカーボルト５２により筐体１１の上面に押し付けられることで動かないようになっており、フレーム５２は筐体１１の上面には直接的には固定されていない。このため、筐体１１に対して穴開けや溶接のような加工は不要である。この点は、防犯カメラ２を取り外して自動販売機を元の状態に容易に戻せるという点で顕著な効果がある。防犯の必要性が無くなったり、その自動販売機を別の場所に移転して通常の自動販売機として使用する必要が生じたりした場合、フレーム４や防犯カメラ２を取り外す必要があるが、実施形態の構造の場合、アンカーボルト５２を抜き取ることで容易に取り外しが可能であり、自動販売機１の筐体１１自体は無傷のままで再利用することができる。
尚、ワイヤー５１に代えて帯板状の部材でフレーム４とアンカーボルト５２とを連結することも可能である。また、アンカーボルト５２によって基礎５３に固定することは必須の条件ではなく、他の固定構造も可能である。例えば、筐体１１の下側には少し空間があるので、固定用のワイヤーをフレーム１１の一方から垂らし、筐体１１の下側に通して他方の側に回り込ませ、上方に延ばしてフレーム１１の他方の側に締結する構造であっても良い。
【００４３】
また、実施形態の防犯装置では、防犯カメラ２で撮影していることがモニタディスプレイ６でのリアルタイム映像再生で視認される。このため、防犯の効果がより高くなっている。そして、複数の撮影箇所のうちリアルタイム映像再生がされない箇所があるので、この点でさらに防犯効果が高くなっている。即ち、犯罪が起き易いある種の場所では、防犯カメラ２で撮影していることがわかると、犯人は警戒し、防犯カメラ２に写らない角度や姿勢を選んで犯罪を犯したり、防犯カメラ２を何らかの方法で隠して犯罪を犯したりするといった巧妙な手口を使う場合がある。このような場所については、防犯カメラ２で撮影していることがわからないようにした方が良い。実施形態の防犯装置は、このような場所についても好適に防犯カメラ２による監視が行える。
【００４４】
さらに、実施形態の防犯カメラ２では、リアルタイム映像再生がされない撮影箇所の撮影時間を利用して広告がモニタディスプレイ６に表示される。即ち、防犯装置を各種広告の手段としても利用されるので、一石二鳥的な効果がある。例えば、商店街に防犯装置が設置される場合、商店街の防犯対策とともに商店街のお店の広告をして売り上げアップを図るといった使い方ができる。
【００４５】
そして、再生シーケンスが昼間と夜間とで変更できるので、それぞれに最適なリアルタイム映像再生と広告表示とを行うことができる。即ち、人通りが多い昼間は犯罪発生の可能性が低い一方、広告表示の意義が大きいので、リアルタイム映像再生をする撮影箇所を少なくして広告表示する時間帯を多くする。そして、人通りが少ない夜間は犯罪発生の可能性が高い一方、広告表示の意義が小さいので、リアルタイム映像再生をする撮影箇所を多くして広告表示を少なくする。このような使い方が可能である。
【００４６】
尚、広告表示を行わない場合でも、昼間と夜間で再生シーケンスを変えることは意義がある。防犯カメラの前を通り過ぎる際に自分の姿がモニタディスプレイに映し出されるのを嫌がる人もおり、人通りが多い昼間にはあまりリアルタイム映像再生をしない方が良いという面もある。一方、夜間は、人通りが少なく且つ防犯の必要性が高いので、積極的にリアルタイム映像再生をした方が良い。実施形態の装置は、このような要請に適っている。
【００４７】
実施形態の防犯装置において、撮影データ記憶部２３はＳＤメモリカードのような記憶媒体に撮影データを記憶するものであり、犯罪が発生した場合、撮影データを記憶媒体から読み取って捜査に利用したり、証拠として利用したりする。これ以外の構成として、実施形態における防犯カメラ２はインターネット等のネットワーク８０に接続可能であるので、ネットワーク８０経由で撮影データを取り出して利用する場合もあり得る。即ち、撮影データ記憶部が防犯カメラ２から離れた遠隔の場所に設置されており、インターネット等のネットワーク８０経由で撮影データが転送されて記憶される場合もある。この場合、撮影データ記憶部は、ネットワーク８０に接続されたデスクトップ型又はモバイル型のＰＣ等のコンピュータ８１の場合もあり、データ保管のサービスを提供するサーバのようなサーバ８２の場合もある。
【００４８】
上記実施形態において、モニタディスプレイ６は、展示部１２１内の設けられることもあり得る。即ち、展示部１２１内の商品見本を幾つか取り外し、その空いたスペースにモニタディスプレイ６を取り付けるようにしても良い。展示部１２１は前面にアクリルのような透明板が設けられているので、モニタディスプレイ６の保護（雨風又はイタズラ等からの保護）という点で好ましい。
上記実施形態において自販機１は清涼飲料の自動販売機であったが、アルコール飲料を販売する自動販売機や各種食品の自動販売機についても、清涼飲料と同程度の高さの筐体１１を有しているので、同様に防犯装置を構成するものとして使用することができる。
【符号の説明】
【００４９】
１  自動販売機
１１  筐体
１２  前面扉
２  防犯カメラ
３  自販機制御ユニット
４  フレーム
５１  ワイヤー
５２  アンカーボルト
６  モニタディスプレイ
７  再生制御ユニット
【要約】
【課題】  設置箇所や設置コストの問題を上手く解決して防犯カメラの設置箇所をより多くできるようにする。
【解決手段】  自動販売機１の筐体１１の上面に取り付けられた防犯カメラ２を備えており、防犯カメラ２の撮影データをリアルタイム表示するモニタディスプレイ６が自動販売機１の前面扉１２に設けられている。防犯カメラ２は、複数の箇所を所定の撮影シーケンスで撮影し、各箇所の撮影データは、再生制御ユニット７を介してモニタディスプレイ６に送られる。再生制御ユニット７は、複数の箇所のうち選択された箇所の撮影データをリアルタイプ表示するものであり、昼間と夜間では異なった選択がされる。
【選択図】  図５【図１】
0005945892.tif 000002
【図２】
0005945892.tif 000003
【図３】
0005945892.tif 000004
【図４】
0005945892.tif 000005
【図５】
0005945892.tif 000006
【図６】
0005945892.tif 000007